(57)【要約】【課題】曲管型の光源を用いることなく、光源からの光を効率良く利用して均一な照明を行うことができ、大型の電気部品を有しながらも小型化された照明装置を提供する。【解決手段】照明装置１３１は、光源１よりも径方向の内側において周方向に延びるように設けられ、光源からの光を光照射方向に反射する第１の反射面３３ｃ，３３ｄ、および光源から第１の反射面のうち該光源に面する部分に向かう光の一部を第１の反射面に沿って周方向のうち光源から離れる方向に延びる領域に向けて反射する第２の反射面３３ａを備えた反射部材３３を有する。反射部材における第１の反射面および該第１の反射面の裏側の面３３ｋが、周方向において光源から離れるほど厚さ方向における光照射方向の側に位置するように形成されている。反射部材の裏側の面に面したスペースに、トリガコイル５５、受光センサ５６およびコネクタ５７のうち少なくとも１つが配置されている。【選択図】図３２
2014142557.tif 000002
【特許請求の範囲】
【請求項１】
撮影レンズの外周を囲むように支持されることが可能なる照明装置であって、
該照明装置が前記撮影レンズの外周を囲むように支持された状態において該撮影レンズの径方向に対応する方向を該照明装置の径方向とし、該撮影レンズの前記外周を囲む方向を該照明装置の周方向とし、前記撮影レンズを通して撮影される被写界に向かう方向を該照明装置の光照射方向とし、前記撮影レンズの光軸に沿う方向を該照明装置の厚さ方向とするとき、
光源と、
該光源よりも前記径方向の内側において前記周方向に延びるように設けられ、前記光源からの光を前記光照射方向に反射する第１の反射面、および前記光源から前記第１の反射面のうち該光源に面する部分に向かう光の一部を前記第１の反射面に沿って前記周方向のうち前記光源から離れる方向に延びる領域に向けて反射する第２の反射面を備えた反射部材とを有し、
前記反射部材における前記第１の反射面および該第１の反射面の裏側の面が、前記周方向において前記光源から離れるほど前記光照射方向に位置するように形成されており、
前記厚さ方向において前記反射部材の前記裏側の面に面したスペースに、前記光源に発光を開始させるためのトリガコイル、前記光源の発光量を検出するための受光センサおよび該照明装置につながるケーブルが接続されるコネクタのうち、少なくとも１つが配置されていることを特徴とする照明装置。
【請求項２】
前記光源から発散する光を、反射面を用いて前記光源よりも前記径方向の内側に向かわせる集光部材を有しており、
該集光部材は、前記厚さ方向における前記光源より前記光照射方向の側およびその反対側に２つの前記反射面を有し、該２つの反射面の間に光射出開口を有し、
前記集光部材は、前記厚さ方向に沿った断面において、前記光射出開口から射出される光の射出範囲の中心の方向が、前記径方向の内側に向かって、前記光照射方向の側とは反対側に傾くように配置されていることを特徴とする請求項１に記載の照明装置。
【請求項３】
前記光源から発散する光を、反射面を用いて前記光源よりも前記径方向の内側に向かわせる集光部材を有しており、
該集光部材は、前記厚さ方向における前記光源より前記光照射方向の側およびその反対側に２つの前記反射面を有し、該２つの反射面は、前記光源を通る対称面について互いに対称な２つの面に沿った形状を有し、
前記集光部材は、前記対称面が、前記径方向の内側に向かって、前記光照射方向の側とは反対側に傾くように配置されていることを特徴とする請求項１に記載の照明装置。
【請求項４】
前記第１の反射面のうち前記光源に面する部分が、前記径方向に対して４５°より小さい傾斜角度を有することを特徴とする請求項２または３に記載の照明装置。
【請求項５】
前記光源は、前記周方向に対する接線方向を長手方向とする直管型または直線型の光源であることを特徴とする請求項１から４のいずれか一項に記載の照明装置。
【請求項６】
前記反射部材は、２つの前記第１の反射面を前記周方向における前記光源の両側に有しており、
前記反射部材における前記２つの第１の反射面のうち一方の側の前記スペースに前記トリガコイルが配置され、他方の側の前記スペースに前記受光センサが配置されていることを特徴とする請求項１から５のいずれか一項に記載の照明装置。
【請求項７】
前記反射部材に、前記光源からの光を前記受光センサの受光部に向けて通す孔を形成したことを特徴とする請求項１から６のいずれか一項に記載の照明装置。
【請求項８】
前記反射部材に、前記受光センサの受光部を保持するための孔を形成したことを特徴とする請求項１から６のいずれか一項に記載の照明装置。
【請求項９】
前記光源からの光を光ファイバにより前記受光センサに導くことを特徴とする請求項１から６のいずれか一項に記載の照明装置。
【請求項１０】
前記スペースに前記トリガコイルが配置されており、
前記反射部材に、前記トリガコイルを覆う壁部が設けられていることを特徴とする請求項１から９のいずれか一項に記載の照明装置。
【請求項１１】
前記撮影レンズに対して装着および取り外しが可能であって、前記撮影レンズに装着されることにより前記撮影レンズの外周を囲むように支持されることを特徴とする請求項１から１０のいずれか一項に記載の照明装置。
【発明の詳細な説明】
【技術分野】
【０００１】
本発明は、デジタルスチルカメラ等の撮影装置とともに用いられる照明装置に関し、特に撮影レンズの外周を囲むように支持される照明装置に関する。
【背景技術】
【０００２】
至近距離の被写体を撮影するマクロ撮影においては、撮影レンズの先端にその外周に沿ったリング状または円弧状の光射出部を有する照明装置が用いられることが多い。特許文献１には、キセノン管等の光源を円弧形状に形成し、該光源を撮影レンズの外周に沿うように複数配置することでリング状の光射出部を構成した照明装置が開示されている。
【先行技術文献】
【特許文献】
【０００３】
【特許文献１】特開２００１−２１５５７４号公報
【発明の概要】
【発明が解決しようとする課題】
【０００４】
しかしながら、特許文献１にて開示された照明装置では、光源として、キセノン管のように一般的には直管型として製造される光源のガラス管を、高い精度で曲げ加工することによって円弧形状に形成したもの（曲管型）が用いられる。この結果、光源のコストが上昇し、照明装置が高価になるという問題がある。しかも、このような複数の曲管型の光源から射出される光を、マクロ撮影の対象である被写体に向けて効率良く、かつ均一に照射することが難しく、光の利用効率や配光分布の面で十分な性能が得られないという問題もある。
【０００５】
さらに、この種の照明装置は、カメラ（および交換型の撮影レンズ）とともに携帯されて使用されるため、できるだけ小型であることが望まれる。しかしながら、照明装置の内部には、光源の発光（放電）を開始させるためのトリガコイルや、光源の発光量をモニタするための受光センサ等、大型の電気部品が配置されるため、照明装置の小型化は難しい。
【０００６】
本発明は、曲管型の光源を用いることなく、光源からの光を効率良く利用してマクロ撮影等に適した均一な照明を行うことができ、大型の電気部品を有しながらも十分に小型化された照明装置を提供する。
【課題を解決するための手段】
【０００７】
本発明の一側面としての照明装置は、撮影レンズの外周を囲むように支持可能であって、該照明装置が撮影レンズの外周を囲むように支持された状態において該撮影レンズの径方向に対応する方向を該照明装置の径方向とし、該撮影レンズの外周を囲む方向を該照明装置の周方向とし、撮影レンズを通して撮影される被写界に向かう方向を該照明装置の光照射方向とし、撮影レンズの光軸に沿う方向を該照明装置の厚さ方向とする。このとき、照明装置は、光源と、該光源よりも径方向の内側において周方向に延びるように設けられ、光源からの光を光照射方向に反射する第１の反射面、および光源から第１の反射面のうち該光源に面する部分に向かう光の一部を第１の反射面に沿って周方向のうち光源から離れる方向に延びる領域に向けて反射する第２の反射面を備えた反射部材とを有する。反射部材における第１の反射面および該第１の反射面の裏側の面が、周方向において光源から離れるほど厚さ方向における光照射方向の側に位置するように形成されている。そして、厚さ方向において反射部材の裏側の面に面したスペースに、光源に発光を開始させるためのトリガコイル、光源の発光量を検出するための受光センサおよび該照明装置につながるケーブルが接続されるコネクタのうち、少なくとも１つが配置されていることを特徴とする。
【発明の効果】
【０００８】
本発明によれば、曲管型の光源を用いなくても、光源からの光を第１の反射面で反射することによって周方向に延びる光射出部を形成することができる。しかも、光源からの光の一部を第２の反射面によって周方向に導くことで、光射出部から均一に光を射出させることができる。これにより、光源からの光を効率良く利用してマクロ撮影等に適した均一な照明を行うことができる照明装置を実現することができる。
【０００９】
さらに、本発明によれば、トリガコイル、受光センサおよびコネクタという大型の電気部品を反射部材の裏面側のスペースに効率良く配置することができるので、照明装置の十分な小型化を実現することができる。
【図面の簡単な説明】
【００１０】
【図１】本発明の参考例１である照明装置および該照明装置が装着された撮影装置を示す斜視図。
【図２】参考例１の照明装置の分解斜視図。
【図３】参考例１の照明装置の正面図。
【図４】参考例１の照明装置の断面図とその一部の拡大図。
【図５】参考例１の照明装置における光線の光路を示す図。
【図６】参考例１の照明装置の光学系の正面図と、該光学系に用いられる反射傘および円弧反射部材の斜視図。
【図７】参考例１の照明装置に用いられるプリズムパネルの裏面図および断面図。
【図８】参考例１の照明装置に用いられる拡散パネルの裏面図および断面図。
【図９】参考例１の照明装置の光線トレース図。
【図１０】参考例１の照明装置の切断面の位置を示す図。
【図１１】図１０に示した各切断面に対応した断面図。
【図１２】参考例１の照明装置の光射出部での光線を示す図。
【図１３】本発明の参考例２である照明装置の正面図。
【図１４】参考例２の照明装置の断面図およびその一部の拡大図。
【図１５】参考例１と参考例２との比較図（円弧反射部材の正面図および断面図）。
【図１６】参考例１と参考例２との比較図（図１５の一部を拡大した斜視図）。
【図１７】参考例１と参考例２との比較図（照明装置の断面図）。
【図１８】参考例２の照明装置の内部構造を示す断面図。
【図１９】参考例２の照明装置の光線トレース図。
【図２０】本発明の実施例１である照明装置および該照明装置が装着された撮影装置を示す斜視図。
【図２１】実施例１の照明装置の分解斜視図。
【図２２】実施例１の照明装置の内部構成を示す正面図。
【図２３】実施例１の照明装置の部分拡大断面図。
【図２４】実施例１の照明装置に用いられる円弧反射部材の斜視図。
【図２５】実施例１の照明装置の断面図。
【図２６】実施例１の照明装置の他の断面図。
【図２７】実施例１の照明装置の部分断面斜視図。
【図２８】参考例２と実施例１における反射傘からの射出光の射出範囲（光量分布）を示す図。
【図２９】実施例１の照明装置のロック機構を示す正面図。
【図３０】実施例１の照明装置に用いられるプリズムパネルを示す図。
【図３１】本発明の実施例２である照明装置に用いられるプリズム拡散パネルを示す図。
【図３２】本発明の実施例３である照明装置の内部構成を示す正面図、上面図および下面図。
【図３３】実施例３の変形例としての照明装置の内部構成を示す正面図。
【図３４】図３３に示した照明装置の断面図。
【図３５】実施例３の別の変形例としての照明装置の部分断面図。
【図３６】実施例３のさらに別の変形例としての照明装置の斜視図。
【図３７】実施例３のさらに他の変形例としての照明装置の正面図、上面図および断面図。
【発明を実施するための形態】
【００１１】
以下、本発明の実施例について図面を参照しながら説明する。まず、本発明の実施例である照明装置の説明に先立って、該実施例の照明装置の前提となる技術を参考例として説明する。
（参考例１）
図１には、本発明の参考例１であるマクロ撮影用照明装置１０１と、該照明装置１０１を撮影レンズ２０１の先端部にその外周を囲むように装着（支持）された撮影装置（カメラ）２００とを示している。照明装置１０１は、撮影レンズ２０１に対して取り外し可能に装着される。なお、撮影レンズ２０１は、カメラに一体に設けられたものであってもよいし、カメラに対して取り外し可能に装着される交換レンズであってもよい。また、照明装置１０１は、撮影レンズ２０１の外周を取り囲むように支持可能であれば、撮影レンズ２０１に対してではなく、撮影装置２００に対して取り外し可能に装着される構成であってもよい。
【００１２】
照明装置１０１は、該照明装置１０１の発光を制御するマイクロコンピュータや、電源および発光エネルギを蓄えるメインコンデンサ等を内蔵し、カメラ２００アクセサリーシュー（図示せず）に取り外し可能に装着される制御ユニット１００を備えている。照明装置１０１と制御ユニット１００は連結コード１０２によって接続されている。
【００１３】
照明装置１０１には、詳しくは後述するが、マクロ撮影用の照明光となる光源光を発する２つの光源と、これら２つの光源からの光を被写界（被写体）に向けて照射する照明光学系とが搭載されている。さらに、照明装置１０１に、カメラ２００においてオートフォーカスが行われる際に暗い被写体に対して補助光を照射する補助光発光部を搭載してもよい。
【００１４】
照明装置１０１は、図１に示すように２つの光源（リング状部分からその径方向に突出した部分に内蔵されている）が左右対称に配置されるように撮影レンズ２０１に装着されてもよいし、この位置から撮影レンズ２０１の周方向に回転した位置で装着されてもよい。また、２つの光源のうちユーザが任意に選択した一方の光源のみを発光させて、影を意図的に作ったり影の出る方向を選んだりすることも可能である。
【００１５】
照明装置１０１における照明光の発光制御は、例えば以下のように行うことができる。まず、本撮影の直前に一定光量を所定時間の間継続して被写体に照射するプリ発光を行って被写体の輝度分布をカメラ２００内に搭載された測光センサによって計測する。そして、計測された輝度分布を用いて所定のアルゴリズムから本撮影時に行うメイン発光での発光量を予め決定する。このような発光制御といわゆる多分割測光とを組み合わせることで、被写体の状態に応じたより綿密な調光が可能であり、特に、発光量の誤差の影響を受けやすいマクロ撮影に適した調光を行うことができる。
【００１６】
次に、照明装置の構成について詳しく説明する。以下の説明では、図１に示すように照明装置１０１が撮影レンズ２０１に装着されて撮影レンズ２０１の外周を囲むように支持されている使用状態において、撮影レンズ２０１を通して撮影される被写界に向かう方向を照明装置１０１の光照射方向Ｌまたは前方とする。光照射方向Ｌは、撮影レンズ２０１の光軸（以下、レンズ光軸という）ＡＸに平行な方向だけでなく、レンズ光軸ＡＸに対してある程度の角度を持った方向も含む。また、撮影レンズ２０１の径方向（レンズ光軸ＡＸに直交する方向）に対応する方向を照明装置１０１の径方向Ｒとし、撮影レンズ２０１の外周を囲む方向を照明装置１０１の周方向ＣＣとする。さらに、撮影レンズ２０１の外周（円）の接線が延びる方向を、周方向ＣＣに対する接線方向Ｔという。また、撮影レンズ２０１の光軸ＡＸに沿った方向を照明装置１０１の厚さ方向という。
【００１７】
図２（ａ），（ｂ）にはそれぞれ、分解した照明装置１０１を斜め前方から見て示している。また、図３には、照明装置１０１を前側（正面）から見て示している。図４（ａ）には、図３中のＡ−Ａ線で切断したときの照明装置１０１の断面を示しており、図４（ｂ）には、図４（ａ）中に円で囲んだ部分を拡大して示している。また、図５（ａ）には、後述する光源１から射出された光線Ｌ１，Ｌ２，Ｌ３の光路を示しており、図５（ｂ）には、図５（ａ）中の一部を拡大して示している。また、図６（ａ）には、照明光学系を構成する反射傘２、円弧反射部材３、プリズムパネル４（ただし、図６（ａ）中には現れていない）および拡散パネル５を前側から見て示している。図６（ａ）の左側半分では、プリズムパネル４および拡散パネル５を取り外している。図６（ｂ）には、円弧反射部材３を拡大して斜め前方から見て示している。
【００１８】
また、図７（ａ）には、プリズムパネル４を裏面（入射面）側から見て示している。図７（ｂ）は、図７（ａ）中のＧ−Ｇ線に沿った断面を示している。図８（ａ）には、拡散パネル５を裏面（入射面）側から見て示している。図８（ｂ）には、図８（ａ）中のＫ−Ｋ線に沿った断面を示している。さらに、図９には、光源１から射出した光線を前側から見て示している。
【００１９】
なお、照明装置１０１は、その中心軸（使用状態でレンズ光軸ＡＸに一致する軸）ＢＸを含み、両側に２つの光源が配置される中心面について対称な構成を有する。このため、以下ではその対称な構成における一方（左側）の構成を中心に説明し、必要に応じて他方（右側）の構成についても説明する。
【００２０】
光源１として、本参考例では、キセノン管等の放電発光管や冷陰極管等の直管型の光源を用いている。光源１は、その長手方向が接線方向Ｔに一致するように配置されている。本参考例では、左側と右側にそれぞれ光源１が配置されており、それらの長手方向はいずれも接線方向Ｔに一致し、かつ互いに平行である。なお、光源１として、この直管型光源に代えて、複数のＬＥＤを直線状に並べて構成した直線型光源を用いてもよいし、曲管型ではない単体の光源を用いてもよい。照明装置１０１の内部には、光源１の発光を開始させるためのトリガコイルや光源１からの発光量をモニタするための受光センサ等の電気部品が収容されている。
【００２１】
反射傘（集光部材）２は、光源１の外周全体から発散した光のうち後述する円弧反射部材３およびプリズムパネル４の方向以外の方向に向かう光を反射する反射面２ａを有する。反射面２ａは、厚さ方向における光源１の両側と光源１の長手方向の両側に設けられており、ここで反射した光を円弧反射部材３またはプリズムパネル４の方向に向かわせるよう反射して、これら反射面２ａの先端部の間に形成された光射出開口から射出させる。また、反射傘２は、光源１から発散した光のうち円弧反射部材３およびプリズムパネル４の方向に向かう光を反射することなく光射出開口から射出させる。
【００２２】
反射傘２は、光を効率良く反射させることができるように、光輝アルミ等の高反射材料により反射面２ａと一体成形されたり、樹脂製の本体の内側に高反射率の金属材料を蒸着して反射面２ａを形成したりすることで製作されている。反射傘２の反射面２ａは、光源１の長手方向（接線方向Ｔ）に直交する断面において、２つの焦点を有する楕円形状に形成されている。
【００２３】
ここで、反射傘２（反射面２ａ）の断面の楕円形状は、その一方の焦点が光源１の径方向中心（光源側）に位置し、もう１つの焦点が円弧反射部材３の後述する第１の反射面上（第１の反射面側）に位置するように設定することが望ましい。このような設定により、図５（ａ）に示すように、反射傘２で反射した光は集光されてより遠くまで光線を到達させることが可能になる。また、楕円形状を適宜最適化することで、反射傘２で反射した光の指向性を調整することができ、反射傘２が小さくても、反射した光を十分に遠くまで到達させることができ、周方向ＣＣおよび径方向Ｒに広い領域（光射出部）から光を射出させることが可能になる。
【００２４】
なお、反射傘２の反射面２ａの断面形状は、楕円以外の２次曲線であってもよい。
【００２５】
円弧反射部材３は、２つでリング形状を有するように半円弧状に形成された樹脂製の本体に、高反射率の金属材料を蒸着することで製作されている。この円弧反射部材３は、上記２つの光源１に対して１つずつ（計２つ）設けられ、それぞれの円弧反射部材３に以下に説明する反射面が形成されている。
【００２６】
円弧反射部材３は、図６（ａ），（ｂ）に示すように、光源１よりも径方向Ｒの内側において周方向ＣＣに延びるように形成された反射面であって、光源１からの光（反射傘２で反射した光を含む）を光照射方向Ｌに反射する第１の反射面３ｃ，３ｄを有する。第１の反射面は、光源１の長手方向中央部に面した部分である光源側反射面（第１の領域）３ｃを有する。さらに、第１の反射面は、光源側反射面３ｃから周方向ＣＣの両側に向かって、つまりは光源１から周方向ＣＣに離れていくように円弧状に延びる２つの円弧反射面（第２の領域）３ｄを有する。以下の説明において、光源側および円弧反射面３ｃ，３ｄとそれらよりも光射出方向Ｌに配置されるプリズムパネル４との間に形成される空間を、光路領域という。
【００２７】
また、円弧反射部材３は、光源側および円弧反射面３ｃ，３ｄに加え、２つの第２の反射面３ａも有する。第２の反射面３ａは、図９に示すように、光源１から光源側反射面３ｃに向かう光の一部を、円弧反射面３ｄに沿って周方向ＣＣのうち光源１から離れていく方向に延びる光路領域に向けて反射する。第２の反射面３ａが設けられていない場合、光源側反射面３ｃには、円弧反射面３ｄに比べて光源１から射出された光が多く向かう。このままこの多くの量の光を光源側反射面３ｃで光射出方向Ｌに反射すると、後述する光射出部のうち光源１に近い部分とその部分から周方向ＣＣに離れた部分とに大きな光量差が生じる。
【００２８】
このため、本参考例では、光源側反射面３ｃと２つの円弧反射面３ｄとの間にそれらを仕切る仕切り壁のように２つの第２の反射面３ａを配置している。言い換えると、光源１の長手方向において互いに離れて、かつ該長手方向における光源１の中央を通って該長手方向に直交する中央断面について対称となるように２つの第２の反射面３ａを配置している。２つの第２の反射面３ａは、径方向Ｒにおいて光源１に近づくほど該２つの第２の反射面３ａ間の周方向ＣＣでの間隔が狭くなるように配置されている。
【００２９】
光源１から光源側反射面３ｃに向かった光のうち、２つの第２の反射面３ａにおける一方の面によって反射した光は、一方の円弧反射面３ｄに沿った光路領域に向かう。また、光源１から光源側反射面３ｃに向かった光のうち、２つの第２の反射面３ａにおける他方の面によって反射した光は、他方の円弧反射面３ｄに沿った光路領域に向かう。そして、光源１から光源側反射面３ｃに向かった光のうち２つの第２の反射面３ａで反射されなかった光は、光源側反射面３ｃに到達する。光源側反射面３ｃと２つの円弧反射面３ｄとの間に配置される２つの第２の反射面３ａの位置や形状は、円弧状（リング状）の光射出部から射出される光量が均一になるように決定される。すなわち、適切な位置に適切な形状の第２の反射面３ｂが設けられることにより、光源１から光源側反射面３ｃに向かう光を、第１の反射面３ｃ，３ｄの全体（第１および第２の領域）にほぼ均一に分配することができる。
【００３０】
そして、この均一に分配された光を第１の反射面３ｃ，３ｄによって光射出方向Ｌに反射することで、第１の反射面３ｃ，３ｄに面する円弧状の光射出部にも均一な光量の光が向かう。こうして、２つの光源１からの光は、光源１ごとに設けられた第１の反射面３ｃ，３ｄと第２の反射面３ａとによって、周方向ＣＣに延びるリング状の光射出部に均一に分配され、光射出方向Ｌに射出される。円弧反射部材３については、後にさらに詳しく説明する。
【００３１】
プリズムパネル（第１の光学部材）４は、円弧反射部材３よりも光照射方向Ｌに形成される上記光射出部に配置される。プリズムパネル４は、アクリル樹脂等の透過率の高い透明樹脂材料により半円弧形状を有するように製作されており、２つのプリズムパネル４がリング状に組み合わされて用いられる。
【００３２】
ここで、光源１の長手方向に直交する断面においては、光源１から射出された光（反射傘２のうち光源１の近傍で反射して一旦光源１の内部に戻された後、再び光源１から射出した光線を含む）は、互いに異なる光路を辿る４種類の光線に分かれる。図５（ａ）には、これら光線のうち３種類の光線Ｌ１，Ｌ２，Ｌ３を示している。光線Ｌ１は、光源１から射出して円弧反射部材３の第１の反射面３ｃ（３ｄ）で反射せずにプリズムパネル４に到達する光線である。光線Ｌ２は、光源１から射出して反射傘２で反射せずに円弧反射部材３の第１の反射面３ｃ（３ｄ）で反射して、プリズムパネル４に到達する光線である。光線Ｌ３は、光源１から射出し、反射傘２で反射した後にさらに円弧反射部材３の第１の反射面３ｃ（３ｄ）で反射してプリズムパネル４に到達する光線である。図示はしないが、もう１種類の光線Ｌ４は、光源１から射出して反射傘２で反射した後に、円弧反射部材３の第１の反射面３ｃ（３ｄ）で反射せずにプリズムパネル４に到達する光線である。
【００３３】
プリズムパネル４の入射面には、微細な複数のプリズム部により構成されるプリズム列が形成されている。プリズム列の各プリズム部は、光源１の長手方向（接線方向Ｔ）に沿って延び、光源１からの光のうち円弧反射部材３の第１の反射面３ｃ，３ｄで反射して到達した光を光照射方向Ｌに透過させる。また、各プリズム部は、少なくとも該第１の反射面３ｃ，３ｄで反射せずに到達した光を光照射方向Ｌに反射する。具体的には、各プリズム部は、図５（ａ），（ｂ）に示すように、光線Ｌ１が入射する第１の面４ａと、光線Ｌ２，Ｌ３が入射する第２の面４ｂとを有する。第１の面４ａには、図示しない光線Ｌ４も入射する。図５（ｂ）中に一点鎖線で示すように径方向Ｒに沿った面を基準面とするとき、第１の面４ａが基準面に対してなす角度（本参考例では９０°）は、第２の面４ｂが基準面に対してなす角度θよりも大きい。
【００３４】
第２の面４ｂに入射した光線Ｌ２，Ｌ３は、そこで屈折してプリズムパネル４内を透過し、さらにその射出面（平面）４ｃで屈折して光照射方向Ｌ（拡散パネル５側）に射出する。この際、光線Ｌ２，Ｌ３が光源１に近い位置で第２の面４ｂに入射した場合には、図５（ａ），（ｂ）に光線Ｌ２を例にして示すように、第２の面４ｂに対して小さい入射角で入射する。このため、該光線は第２の面４ｂで中心軸ＢＸに対して径方向Ｒに離れる方向に傾くように屈折してプリズムパネル４から射出する。また、光線Ｌ２，Ｌ３が光源１から離れた位置で第２の面４ｂに入射した場合には、図５（ａ）に光線Ｌ３を例にして示すように、第２の面４ｂに対して大きい入射角で入射する。このため、該光線は第２の面４ｂで中心軸ＢＸにほぼ平行に屈折されてプリズムパネル４から射出する。
【００３５】
一方、第１の面４ａは、入射した光線Ｌ１（Ｌ４）を屈折させて第２の面４ｂに向かわせる。このときの第２の面４ｂは、光線Ｌ１（Ｌ４）に対して全反射条件を満たすように形成されている。このため、光線Ｌ１は、第２の面４ｂで内部全反射してプリズムパネル４内を透過し、射出面４ｃから光照射方向Ｌ（拡散パネル５側）に射出する。このように、プリズム部は、特に円弧反射部材３の第１の反射面で反射されずに到達した光線Ｌ１を光照射方向Ｌに向かわせて、光源１から射出される光の利用効率を高める。
【００３６】
なお、光線（Ｌ１，Ｌ４）のプリズムパネル４に入射する周方向ＣＣでの位置によって、プリズムパネル４からの該光線の射出角が異なる。プリズム列全体で第１および第２の面４ａ，４ｂの傾斜角度を同じとした場合、光源１に近い第１の面４ａへの光線の入射角は、光源１から離れた第１の面４ａへの光線の入射角より大きくなる。このため、前者の光線の射出面４ｃからの射出角は後者の光線の射出角より大きくなる。このように、光線（Ｌ１，Ｌ４）のプリズムパネル４への入射位置と光源１との距離に応じて該光線の射出方向が変化する。しかし、該光線の束である光束全体としては、中心軸ＢＸに平行な方向からやや径方向Ｒの内側に向かう方向までの範囲で均一な光量分布の光束に変換される。
【００３７】
本参考例では、図５（ｂ）に示すように、プリズム列全体で第２の面４ｂが径方向Ｒに沿った基準面（図中に一点鎖線で示す）に対してなす傾斜角度θを４２．５°と一定としている。この場合、のプリズムパネル４への光線（Ｌ１，Ｌ４）の入射角（基準面の法線に対してなす角度）を４７．５°以上とすることで、該光線を第１の面４ａからプリズム部に入射させ、第２の面４ｂで内部全反射させてプリズムパネル４から射出させることができる。一方、プリズムパネル４への光線（Ｌ２，Ｌ３）の入射角を４７．５°より小さくすることで、この光線を第２の面４ｂからプリズム部内に入射させ、内部全反射させることなく屈折させてプリズムパネル４から射出させることができる。
【００３８】
なお、第２の傾斜角度θは４２．５°に限られず、また前述した第１の面４ａが基準面に対してなす角度である９０°も例にすぎず、他の角度であってもよい。
【００３９】
また、光源１の長手方向に沿って延びるプリズム部により構成されるプリズム列は、必ずしもプリズムパネル４の入射面の全体に形成する必要はなく、少なくとも光源１に近い一部の領域に形成すればよい。
【００４０】
拡散パネル（第２の光学部材）５は、上記光射出部のうちプリズムパネル４よりも光照射方向Ｌに配置されている。拡散パネル５は、アクリル樹脂等の透過率の高い透明樹脂材料により製作されており、２つの拡散パネル５がリング状に組み合わされて用いられる。この拡散パネル５の入射面には、図５（ａ），（ｂ）に示すように、周方向ＣＣに円弧状に延びるシリンドリカルレンズ部（光拡散部）５ａが複数、同心状に形成されている。各シリンドリカルレンズ部５ａは、そこに入射した光線を径方向Ｒに屈折させて拡散する作用を有する。シリンドリカルレンズ部５ａで屈折した光線は、拡散パネル５の射出面５ｂから射出して、被写界（被写体）に照射される。
【００４１】
このように拡散パネル５は、光源１から射出して周方向ＣＣに進み、円弧反射部材３やプリズムパネル４により光照射方向Ｌに方向が変えられた光を径方向Ｒに拡散させる。これにより、プリズムパネル４から射出した光の周方向ＣＣでの射出方向をほとんど変化させずに、照明光が照射される被写体側の範囲である光照射範囲の径方向Ｒの大きさをマクロ撮影に適した範囲に広げつつ、径方向Ｒにて光量分布を均一にすることができる。そして、この拡散パネル５とプリズムパネル４との組み合わせにより、マクロ撮影に適した光照射範囲に効率良く光源１からの光を導きつつ、該光照射範囲において均一な配光分布での照明を行うことができる。
【００４２】
６は光源１を反射傘２に対して固定するための弾性保持部材であり、７は照明光学系を構成する上記各部材や上述した電気部品が実装された実装基板９，１０を保持する背面カバーである。８は照明装置１０１の前面のうち光源１および反射傘２の部分を覆うとともに、それぞれ２つのプリズムパネル４および拡散パネル５が配置された光射出部を露出させる円形の開口部を有する前面カバーである。前面カバー８の開口部の内周には、プリズムパネル４および拡散パネル５を保持するための係合部が形成されている。
【００４３】
前面カバー８により覆われた反射傘２およびその内側の光源１は、照明装置１０１の前側から拡散パネル５およびプリズムパネル４を通して見ることはできない位置に配置されている。
【００４４】
次に、円弧反射部材３の形状等について、図６（ａ），（ｂ）を用いて詳しく説明する。円弧反射部材３は、反射傘２の光射出開口付近の外面が嵌まり込む入射開口部３ｆと、第１の反射面である光源側反射面３ｃおよび円弧反射面３ｄが表面に金属蒸着により形成された円弧状の底面部３ｇとを有する。光源側反射面３ｃは、前述した光源１の長手方向の中央を通る中央断面において、径方向Ｒに沿った基準面に対して４５°の傾きを持った円錐面の一部として構成されている。
【００４５】
また、円弧反射面３ｄは、基本的には、周方向ＣＣにおいて光源１（反射傘２）から離れるほど光射出方向Ｌに位置する（光射出方向Ｌの側への高さが高くなる）ように、径方向Ｒに沿った基準面に対して傾斜した面として形成される。ただし、本参考例では、図１０中のＡ−Ａ、Ｂ−Ｂ、Ｃ−Ｃ、Ｄ−Ｄ線での断面図である図１１（ａ）〜（ｄ）に示すように、円弧反射面３ｄの径方向Ｒでの内周側と外周側とで、光照射方向Ｌでの位置（高さ）が異なる（内周側の方が高い）。しかも、円弧反射面３ｄは、その内周側の高さは高いまま外周側の高さが反射傘２から周方向ＣＣに離れるほど高くなる、ねじれらせん面として形成されている。これは、円弧反射面３ｄの外周側に光が集中し、内周側に向かう光が少なくなることを回避するためである。すなわち、反射傘２（光源１）に近い側から円弧反射面３ｄの内周側の領域の高さを高くしておき、この領域に到達した光を積極的に光射出部（プリズムパネル４）に導く。これにより、円弧状（リング状）の光射出部から均一な光量分布の光が光照射方向Ｌに射出される。
【００４６】
また、円弧反射部材３は、光源側反射面３ｃと２つの円弧反射面３ｄとの間に配置される２つの第２の反射面３ａが金属蒸着により形成された２つの仕切り壁部３ｈも有する。
【００４７】
さらに、円弧反射部材３には、２つの円弧反射面３ｄの外周に沿って延び、その内周面に金属蒸着によって外周反射面３ｂが形成された外周壁部３ｉも有する。図９からも分かるように、第２の反射面３ａで反射した光の一部は、外周反射面３ｂで反射した後に円弧反射面３ｄに沿った光路領域に向かう。これにより、光源１からより周方向ＣＣに離れた光路領域まで光源１からの光を到達させることができる。また、光源１または反射傘２から直接、外周反射面３ｂに到達してここで反射する光もある。外周反射面３ｂは、この光を、プリズムパネル４のうち光源１からより周方向ＣＣに離れた領域まで到達させることができる。
【００４８】
なお、外周反射面３ｂが設けられていることで、光源１から射出した光の円弧反射部材３の外側への漏れも防止される。
【００４９】
また、円弧反射部材３には、光源側反射面３ｃと２つの円弧反射面３ｄの内周に沿って延びる内周壁部３ｊも設けられている。この内周壁部３ｊの内面にも、金属蒸着によって反射面が形成されている。内周壁部３ｊと外周壁部３ｉとの間に形成される円弧状（リング状）の開口部である光射出部は、プリズムパネル４および拡散パネル５の円弧状の外形とほぼ同じ形状を有している。これにより、光源１から射出された光を効率良くプリズムパネル４および拡散パネル５に導くことができる。
【００５０】
外周壁部３ｂのうち反射傘２の光射出開口に近接した部分、すなわち光源１から円弧反射部材３に至るまでの部分は、円弧状のプリズムパネル４および拡散パネル５の外周の接線方向に延びている。これにより、光源１からの光を遮ることなく効率良く利用することができる。
【００５１】
次に、プリズムパネル４について説明を補足する。前述したように、プリズムパネル４の入射面（光源１側の面）には、光源１の長手方向に沿って延びる複数のプリズム部がプリズム列をなすように形成されている。そして、各プリズム部における光源１に近い側に透過面として機能する第１の面４ａが形成され、その背後（光源１から遠い側）に透過面および内部全反射面として機能する第２の面４ｂが形成されている。
【００５２】
図１２に示すように、円弧反射部材３の２つの第２の反射面３ａにより周方向ＣＣの両側に振り分けられて光源１から遠く離れた光路領域に向かった光（光線Ｌ５，Ｌ６）は、そのほとんどが第１の面４ａからプリズム部に入射する。そして、第２の面４ｂで内部全反射して大きく方向が変えられて光照射方向Ｌに射出される。光線Ｌ５は、第２の反射面３ａで反射して円弧反射面３ｄで反射せずに第１の面４ａに到達した光線である。光線Ｌ６は、第２の反射面３ａで反射し、さらに円弧反射面３ｄで反射して第１の面４ａに到達した光線である。第１の面４ａに到達した光が、再度、円弧反射部材３の側に戻ることはほとんどない。
【００５３】
このように、円弧反射部材３の第２の反射面３ａで反射されて光源１から遠く離れた光路領域に導かれた光については、光源１に近い領域での光とは異なり、ほとんどすべてが第１の面４ａからプリズムパネル４（プリズム部）に入射する。そして、この光は、第２の面４ｂにて方向変換が行われ、効率良く光照射方向Ｌに射出される。なお、プリズムパネル４から射出した光は拡散パネル５に周方向ＣＣに延びるように形成されたシリンドリカルレンズ部５ａに入射するが、プリズムパネル４における光源１から遠い領域から射出した光は、シリンドリカルレンズ部５ａの屈折力の影響を受けにくい。このため、プリズムパネル４から射出した時点での進行方向が大きく変えられることなく、拡散パネル５から光照射方向Ｌに射出する。
【００５４】
したがって、プリズムパネル４の全体にわたってその入射面（第１の面４ａおよび第２の面４ｂ）に均一に光を入射させることができれば、円弧状（リング状）の光射出部の全体から均一な光量分布で光を射出させることができる。また、光源１側に形成された第１の面４ａの基準面に対してなす角度を９０°とすることにより、きわめて効率良く、光源１から射出した光を光照射方向Ｌに導くことが可能になる。
【００５５】
さらに、円弧反射部材３の円弧反射面３ｄの形状を適宜変化させることで、プリズムパネル４の各領域に入射する光の光量を調整することも可能である。これにより、光源１の発光特性や反射傘２の反射特性等に光量を不均一にする要素が存在していたとしても、光射出部の全体から均一な光量分布で光を射出させることができる。
【００５６】
なお、本参考例では、円弧状の光射出部が２つ組み合わされてリング状の光射出部が形成される構成となっている。しかし、２つの光射出部の境界部分においては互いに一方の光射出部からの光が他方の光射出部の光を補完することで、光照射領域に対して切れ目のない均一な照明を行うことができる。
【００５７】
以上説明したように、本参考例によれば、曲管型の光源を用いなくても、光源１からの光をリング反射部材３の第１の反射面３ｃ，３ｄで反射することによって周方向に延びる光射出部を形成することができる。しかも、光源からの光の一部を円弧反射部材３の第２の反射面３ａによって周方向ＣＣに導くことで、光射出部から均一に光を射出させることができる。これにより、光源１からの光を効率良く利用してマクロ撮影等に適した均一な照明を行うことができる照明装置を実現することができる。
【００５８】
なお、本参考例において、照明装置の光射出部はリング形状（円形）を有するが、これを矩形としたり多角形としたりしてもよい。この場合も、使用状態において撮影レンズの径方向に対応する方向（例えば、矩形や多角形の対角線が延びる方向）は照明装置の径方向ということができ、撮影レンズの外周を囲む方向は照明装置の周方向ということができる。
【００５９】
また、本参考例において、円弧反射部材３の円弧反射面３ｄはその光照射方向Ｌでの高さが周方向ＣＣにおいて滑らかに変化しているが、該高さを段階的に変化させてもよいし、高さとともに径方向Ｒでの幅も変化させるようにしてもよい。また、本参考例において、円弧反射部材３の円弧反射面３ｄをねじれらせん面として形成したが、ねじれを有さないらせん面としてもよい。
【００６０】
さらに、本参考例では、周方向ＣＣに２つの光源１が配置され、該２つの光源１に対して２つの照明光学系（反射傘２、第１の反射面３ｃ，３ｄ、第２の反射面３ａ、プリズムパネル４および拡散パネル５）が構成される場合について説明した。しかし、光源および照明光学系の数は２つに限らず、１つでもよいし、３つ以上の複数であってもよい。
また、円弧反射部材３、プリズムパネル４、拡散パネル５は、必ずしも光源１の数に合わせて構成する必要はなく、光源の数に係わらず一部品で構成してもよい。さらに、反射傘２と円弧反射部材３を一体化した構成であってもよい。
（参考例２）
次に、本発明の参考例２であるマクロ撮影用照明装置１１１について、図１３を用いて説明する。本参考例は、参考例１に対して、参考例１でも触れた焦点調整用の補助光発光部を、照明光を射出する光射出部（１４）が延びる円線上の一部（２箇所）に配置するとともに、照明光学系および照明装置１１１の全体を小型化した点が異なる。具体的には、光射出部（１４）を、参考例１のような完全なリング形状から、補助光発光部２１，２２の配置領域を挟んで配置された２つの円弧形状としている。
【００６１】
図１４（ａ），（ｂ）にはそれぞれ、本参考例の照明装置１１１の断面であって、図１３中に示したＡ−Ａ線での断面を示している。また、図１５（ａ）の上側には、参考例１にて説明した照明装置１０１に用いられる円弧反射部材３を前側（正面）から見て示しており、その下部には参考例１の円弧反射部材３を上側の図中のＥ−Ｅ線で切断したときの断面を拡大して示している。一方、図１５（ｂ）には、本参考例にて説明する照明装置１１１に用いられる円弧反射部材１３を前側（正面）から見て示しており、その下部には本参考例の円弧反射部材１３を上側の図中のＦ−Ｆ線で切断した断面を拡大して示している。また、図１６（ａ）には、参考例１の円弧反射部材３の一部を拡大して示しており、図１６（ｂ）には本参考例の円弧反射部材１３の一部を拡大して示している。さらに、図１７（ａ），（ｂ）および図１８（ａ），（ｂ）にはそれぞれ、本参考例の照明装置１１１を図１３中のＢ−Ｂ、Ｃ−Ｃ、Ｄ−ＤおよびＥ−Ｅ線で切断したときの断面を示している。図１９は、本参考例の照明装置における光線トレース図である。
【００６２】
本参考例の照明装置１１１も、図１３に示すように、撮影レンズ２０１の先端部の外周に取り外し可能に装着される。また、照明装置１１１は、参考例１で説明した、連結ケーブル１１２により接続される制御部（図示せず）を備えている。本参考例でも、照明装置１１１が撮影レンズ２０１に装着されている使用状態において、図１３に示すように、撮影レンズ２０１を通して撮影される被写界に向かう方向を照明装置１１１の光照射方向Ｌまたは前方とする。また、撮影レンズ２０１の径方向に対応する方向を照明装置１１１の径方向Ｒとし、撮影レンズ２０１の外周を囲む方向を照明装置１１１の周方向ＣＣとする。さらに、撮影レンズ２０１の外周（円）の接線が延びる方向を、周方向ＣＣに対する接線方向Ｔという。また、撮影レンズ２０１の光軸ＡＸに沿った方向を照明装置１１１の厚さ方向という。
【００６３】
本参考例の照明装置１１１の照明光学系の構成は、参考例１の照明光学系と基本的には同じであるため、照明光学系についての詳細な説明は省略する。また、本参考例の構成要素のうち参考例１の構成要素と同じものには参考例１と同じ符号を付してその説明は省略する。本参考例の照明装置１１１も、その中心軸（使用状態でレンズ光軸に一致する軸）ＢＸを含み、両側に２つの光源が配置される中心面について対称な構成を有する。このため、以下ではその対称な構成における一方（左側）の構成を中心に説明し、必要に応じて他方（右側）の構成についても説明する。
【００６４】
１２は集光部材としての反射傘であり、直管型の光源１の外周全体から発散した光のうち後述する円弧反射部材１３および後述するプリズムパネル１４の方向以外の方向に向かう光を反射する反射面１２ａを有する。本参考例でも、光源１と反射傘１２は、中心軸ＢＸを挟んだ両側に配置されている。
【００６５】
反射傘１２の反射面１２ａは、厚さ方向における光源１の両側と光源１の長手方向の両側に設けられ、反射した光を円弧反射部材１３やプリズムパネル１４の方向に向かわせるよう反射し、これら反射面１２ａの先端部の間に形成された光射出開口から射出させる。また、反射傘１２は、光源１から発散した光のうち円弧反射部材１３およびプリズムパネル１４の方向に向かう光を反射することなく光射出開口から射出させる。
【００６６】
なお、本参考例の反射傘１２は、参考例１の反射傘２と異なり、小型化を図るため、光源１の外周面のうち上記光射出開口とは反対側の半円筒面に沿った反射面を有する半円筒形状の部分（以下、半円筒部という）１２ｂを有する。これにより、光源１から半円筒部１２ｂに向かって射出した光は、該半円筒部１２ｂで反射して再度光源１に戻され、その後、光射出開口に向かう。円筒部１２ｂよりも光射出開口側の反射面１２ａは、光源１の長手方向（接線方向Ｔ）に直交する断面において、楕円等の２次曲線形状を有する。楕円断面を有する形状とする場合には、参考例１と同様に、光源１の径方向中心に一方の焦点を配置し、他方の焦点を円弧反射部材１３の後述する第１の反射面上（第１の反射面側）に配置することが望ましい。反射傘１２の製作方法は、参考例１の反射傘と同じである。
【００６７】
１３は円弧反射部材である。円弧反射部材１３は、参考例１の円弧反射部材３と同様に、２つの光源１に対して１つずつ（計２つ）設けられている。円弧反射部材１３は、図１５（ｂ）に詳しく示すように、光源１よりも径方向Ｒの内側において周方向ＣＣに延びるように形成された反射面であって、光源１からの光（反射傘１２で反射した光を含む）を光照射方向Ｌに反射する第１の反射面１３ｃ，１３ｄを有する。第１の反射面は、光源１の長手方向中央部に面した部分である光源側反射面（第１の領域）１３ｃを有する。さらに、第１の反射面は、光源側反射面１３ｃから周方向ＣＣの両側に向かって、つまりは光源１から周方向ＣＣに離れていくように円弧状に延びる２つの円弧反射面（第２の領域）１３ｄを有する。光源側および円弧反射面１３ｃ，１３ｄとそれらよりも光射出方向Ｌに配置される後述するプリズムパネル１４との間には、光路領域（空間）が形成される。
【００６８】
本参考例では、２つの光源１に対して設けられる２つの円弧反射部材１３の円弧反射面１３ｄ間（中心軸ＢＸを挟む２箇所）に補助光発光部２１，２２が配置されるため、参考例１の円弧反射部材３に比べて、円弧反射面１３ｄの周方向ＣＣでの長さが短い。また、円弧反射面１３ｄ（つまりは光射出部）の径方向での幅も、参考例１に比べて狭い。これは、単に小型化だけでなく、円弧状の光射出部を構成した場合に、その外周側に光が集中して内周側に向かう光が少なくなるという傾向にならって外周側と内周側とで光量むらが発生することを解消できるという効果がある。
【００６９】
また、本参考例の円弧反射部材１３も、参考例１の円弧反射部材３と同様に、２つの第２の反射面１３ａを有する。第２の反射面１３ａは、図１９に示すように、光源１から光源側反射面１３ｃに向かう光の一部を、円弧反射面１３ｄに沿って周方向ＣＣのうち光源１から離れていく方向に延びる光路領域に向けて反射する。２つの第２の反射面１３ａの役割および配置については参考例１と同様である。
【００７０】
本参考例では、反射傘１２が参考例１に比べて小型化されたため、反射面１２ａの２つの焦点の位置が参考例１に比べて接近している。このため、全体の光路長を短縮することができる。さらに、図１５（ａ），（ｂ）にて比較するように、本参考例では、反射傘１２の小型化に伴って円弧反射部材１３の径方向Ｒでの幅を参考例１の円弧反射部材３の幅よりも狭くすることが可能になる。したがって、本参考例では、参考例１に比べて照明光学系の体積を小さくすることができ、この結果、照明装置１１１全体を小型化することができる。
【００７１】
１４はプリズムパネル（第１の光学部材）であり、円弧反射部材１３よりも光照射方向Ｌに形成される光射出部に配置される。プリズムパネル１４は、光を拡散させる拡散性を有する乳白色の光学材料により半円弧形状を有するように製作されており、照明装置１１１には２つのプリズムパネル１４が用いられる。
【００７２】
ここで、本参考例でも、光源１の長手方向に直交する断面において、光源１から射出された光が、互いに異なる光路を辿る４種類の光線に分かれる点は、参考例１と同じである。そして、本参考例のプリズムパネル１４の入射面にも、参考例１で説明したのと同様に、微細の複数のプリズム部により構成されるプリズム列が形成されている。各プリズム部の上記４種類の光線に対する作用は、参考例１で説明した通りである。
【００７３】
なお、本参考例では、プリズムパネル１４の拡散性によってプリズムパネル１４を透過する光が径方向Ｒに拡散するため、参考例１で用いられた拡散パネル５は用いる必要はない。これにより、照明装置１１１の厚さ方向での小型化（薄型化）が可能である。
【００７４】
１７は照明光学系を構成する上記各部材や後述する実装基板１９を保持する背面カバーである。１８は照明装置１１１の前面のうち光源１および反射傘１２の部分を覆うとともに、２つのプリズムパネル１４が配置された光射出部を露出させる円形の開口部を有する前面カバーである。前面カバー１８の開口部の内周には、プリズムパネル１４を保持するための係合部が形成されている。前面カバー１８により覆われた反射傘１２およびその内側の光源１は、照明装置１１１の前側からプリズムパネル１４を通して見ることはできない位置に配置されている。
【００７５】
実装基板１９には、光源１の発光を開始させるためのトリガコイルや光源１からの発光量をモニタするための受光センサ等の電気部品２０が実装されている。
【００７６】
補助光発光部２１，２２は、光源となるＬＥＤ２４と、その前面に配置された集光レンズとを有し、ＬＥＤ２４から射出した光を集光レンズにより集光して被写体に照射する。２３は照明装置１１１に設けられた撮影レンズへの装着用のロック機構のロック状態を解除する際に操作されるロック解除ボタンである。
【００７７】
次に、円弧反射部材１３の形状等について、図１５（ｂ）および図１６を用いて詳しく説明する。円弧反射部材１３は、反射傘１２の光射出開口付近の外面が嵌まり込む入射開口部１３ｆと、第１の反射面である光源側反射面１３ｃおよび円弧反射面１３ｄが表面に金属蒸着により形成された円弧状の底面部１３ｇとを有する。参考例１と同様に、光源側反射面１３ｃは、光源１の長手方向の中央を通る中央断面において、径方向Ｒに沿った基準面に対して４５°の傾きを持った円錐面の一部として構成されている。
【００７８】
また、円弧反射面１３ｄも、参考例１と同様に、基本的には、周方向ＣＣにおいて光源１（反射傘１２）から離れるほど光射出方向Ｌに位置する（光射出方向Ｌの側への高さが高くなる）ように、径方向Ｒに沿った基準面に対して傾斜した面として形成されている。また、本参考例でも、参考例１と同様に、図１３中のＡ−Ａ、Ｂ−Ｂ、Ｃ−Ｃ、Ｄ−Ｄ線での断面図である図１４（ａ），図１７（ａ），（ｂ）および図１８（ａ）に示すように、円弧反射面１３ｄをねじれらせん面として形成している。
【００７９】
ただし、本参考例では、図１５（ｂ）の下図および図１６（ｂ）に示すように、円弧反射面１３ｄを、径方向Ｒ（幅方向）における中央部分がその両側の部分に対して、光射出部（光照射方向Ｌ）に向かって凹となる曲面により形成している。図１５（ａ）の下図および図１６（ａ）には、これとの比較のために、参考例１での円弧反射面３ｄを示しており、該円弧反射面３ｄは平面として形成されている。
【００８０】
このように円弧反射面１３ｄを凹曲面で構成するのは、以下の理由による。本参考例では、照明光学系の小型化に伴い、光源１が参考例１の円弧反射部材３に比べて円弧反射部材１３の内周壁部１３ｊに近づいたため、光源１からの光が光射出部における周方向ＣＣの奥（光源１から遠い領域）まで回り込みにくくなっている。このため、円弧反射面１３ｄを、その幅方向にて凹となる曲面として形成して光が通る空間を広げることで、光射出部の奥まで光源１からの光が回り込みやすくし、光射出部の全体で均一な光量分布が得られるようにしている。
【００８１】
なお、円弧反射面１３ｄは、必ずしもその幅方向中央が最も凹んだ曲面として形成されなくてもよく、最も凹んだ部分が幅方向の一方に偏っていてもよい。また、円弧反射面１３ｄの幅方向での形状が、周方向ＣＣで変化してもよい。
【００８２】
また、円弧反射部材１３は、光源側反射面１３ｃと２つの円弧反射面１３ｄとの間に配置される２つの第２の反射面１３ａが金属蒸着により形成された２つの仕切り壁部１３ｈも有する。
【００８３】
さらに、円弧反射部材１３には、２つの円弧反射面１３ｄの外周に沿って延び、その内周面に金属蒸着によって外周反射面１３ｂが形成された外周壁部１３ｉも有する。図１９からも分かるように、第２の反射面１３ａで反射した光の一部は、外周反射面１３ｂで反射した後に円弧反射面１３ｄに沿った光路領域に向かう。また、光源１または反射傘１２から直接、外周反射面１３ｂに到達してここで反射する光もあり、外周反射面１３ｂは、この光をプリズムパネル１４のうち光源１からより周方向ＣＣに離れた領域まで到達させることができる。
【００８４】
内周壁部１３ｊは、光源側反射面１３ｃと２つの円弧反射面１３ｄの内周に沿って延びる。この内周壁部１３ｊの内面にも、金属蒸着によって内周反射面が形成されている。なお、本参考例では、この内周壁部１３ｊと外周壁部１３ｉとの間に形成される円弧状の開口部である光射出部の径方向Ｒの幅に対して、プリズムパネル１４の幅を大きくしている。ただし、光射出部の径方向Ｒの幅とプリズムパネル１４の幅とを対応させてもよい。
【００８５】
また、本参考例でも、外周壁部１３ｂのうち反射傘１２の光射出開口に近接した部分、すなわち光源１から円弧反射部材１３に至るまでの部分は、円弧状のプリズムパネル１４の外周の接線方向に延びている。これにより、光源１からの光を遮ることなく効率良く利用することができる。
【００８６】
以上説明したように、本参考例でも、参考例１と同様に、曲管型の光源を用いなくても、光源１からの光を円弧反射部材１３の第１の反射面１３ｃ，１３ｄで反射することによって周方向に延びる光射出部を形成することができる。しかも、光源からの光の一部を円弧反射部材１３の第２の反射面１３ａによって周方向ＣＣに導くことで、光射出部から均一に光を射出させることができる。これにより、光源１からの光を効率良く利用してマクロ撮影等に適した均一な照明を行うことができる照明装置を実現することができる。
【００８７】
本参考例の照明装置１１１では、反射傘１２について、光源１の外周面に沿った半円筒部１２ｂを形成し、また楕円形状の焦点距離を短くすることで、参考例１に比べて、径方向での小型化を実現している。また、参考例１に比べて、円弧反射部材１３の径方向Ｒでの幅を狭めて中心軸ＢＸと光源１との距離を短くする（光源１をレンズ光軸に寄せる）ことでも、照明装置１１１の径方向での小型化を実現している。
【００８８】
また、本参考例では、光源１からの照明光が射出される光射出部と補助光発光部２１，２２とを同一の円線上に効率良く配置することで、照明光学系および照明装置１１１の小型化を実現している。しかも、照明光学系の小型化に伴って、照明装置１１１内の照明光学系の背面側に新たな空間を形成できる。本参考例では、この背面空間に、電気部品２０が実装された実装基板１９を配置している。つまり、参考例１で光射出部の上側（径方向Ｒの外側）に配置されていた実装基板９と同様の実装基板１９を、上記背面空間に配置することで、参考例１にて光射出部の上側にあった大きな突起形状の部分をなくし、照明装置１１１の小型化を実現している。
【実施例１】
【００８９】
以下、上述した参考例２の変形例としての本発明の実施例１について説明する。以下の説明においては、参考例２で示した光照射方向Ｌ、径方向Ｒ、周方向ＣＣ、接線方向Ｔおよび中心軸ＢＸを、図示は省略するものの、同じ意味で、かつ同じ符号を付して用いる。また、厚さ方向についても同じ意味で用いる。
【００９０】
本実施例の照明装置１３１も、その中心軸ＢＸを含み、両側に２つの光源が配置される中心面について対称な構成を有するため、以下では、その対称な構成における一方の構成を中心に説明し、必要に応じて他方の構成についても説明する。
【００９１】
図２０には、本実施例の照明装置を前方（正面）から見て示しており、図２１には分解した照明装置１３１を示している。また、図２２には、本実施例の照明装置１３１の内部構成を前方から見て示しており、図２３には、本実施例の照明装置１３１の断面の一部（図２５（ａ）において円で囲んだ部分）を拡大して示している。
【００９２】
図２４には、本実施例の円弧反射部材３３を斜めから見て示している。図２５（ａ），（ｂ）にはそれぞれ、本実施例の照明装置１３１の断面であって、図２０中に示したＡＧ−ＡＧ線およびＡＩ−ＡＩ線での断面を示している。また、図２６（ａ），（ｂ）にはそれぞれ、本実施例の照明装置１３１の断面であって、図２０中に示したＡＪ−ＡＪ線およびＡＨ−ＡＨ線での断面を示している。さらに、図２７には本実施例の照明装置１３１の一部を、図２２中に示したＢＤ−ＢＤ線で切断して斜めから見て示している。
【００９３】
これらの図において、１は光源であり、３２は集光部材としての反射傘であり、３３は反射部材としての円弧反射部材である。３４は光学部材（第１の光学部材）としてのプリズムパネルであり、３５は光学部材（第２の光学部材）としての拡散パネルである。３７は背面カバーであり、３８は前面カバーである。これらの構成要素は、基本的に参考例２または参考例１に示した同じ名称の構成要素と同一の機能を有する。ただし、形状や配置が参考例２や参考例１とは異なるので、以下に説明する。２１，２２は参考例２で説明した補助光発光部であり、これについての説明は省略する。
【００９４】
反射傘３２は、直管型の光源１の外周全体から発散した光のうち後述する円弧反射部材３３および後述するプリズムパネル３４の方向以外の方向に向かう光を反射する反射面を、厚さ方向における光源１の両側と光源１の長手方向の両側に有する。このうち、反射面３２ａ，３２ｂはそれぞれ、図２３に示すように、厚さ方向における光源１より光照射方向Ｌの側およびその反対側に形成された２つの反射面である。反射面３２ａ，３２ｂ（および光源１の長手方向の両側の反射面）の先端部の間には、光源１から射出して各反射面で反射した光および反射することなく進んできた光を円弧反射部材３３またはプリズムパネル３４の方向に射出する光射出開口３２ｄが形成されている。
【００９５】
なお、本実施例の反射傘３２にも、参考例２の反射傘１２と同様に、小型化を図るため、光源１の外周面のうち光射出開口３２ｄとは反対側の半円筒面に沿った反射面を有する半円筒部３２ｃが形成されている。
【００９６】
反射傘３２（反射面３２ａ，３２ｂ）は、図２３に示す厚さ方向に沿った断面において、光射出開口３２ｄから射出される光の射出範囲の中心の方向（図中のＳＳ）が、径方向Ｒの内側に向かって、光照射方向Ｌの側とは反対側（後方に）に傾くように配置されている。図２３中のＲＦは、径方向Ｒに沿った基準面を示す。射出範囲の中心の方向（ＳＳ）は、基準面ＲＦに対して、傾き角αを有する。
【００９７】
さらに、反射傘３２の反射面３２ａ，３２ｂは、光源１を通る対称面ＳＳについて互いに対称な２つの面（仮想面）に沿った形状を有する。つまり、実際の反射面３２ａ，３２ｂの形状は後述するように互いに異なるが、そのベースとなる面形状は、対称面ＳＳについて互いに対称である。本実施例の仮想面は、楕円等の２次曲線である。そして、反射傘３２は、対称面ＳＳが、径方向Ｒの内側に向かって、光照射方向Ｌの側とは反対側（後方）に傾くように配置されている。すなわち、対称面ＳＳは、基準面ＲＦに対して、傾き角αを有する。仮想面が楕円形状である場合、該楕円の一方の焦点は光源１の径方向の中心に位置し、他方の焦点は後述する円弧反射部材３３の光源側反射面３３ｃ上にあることが望ましい。
【００９８】
これらのように、光の射出範囲の中心の方向や対称面ＳＳが後方に傾くような反射傘３２の配置を、以下の説明では後傾配置という。
【００９９】
図２８（ｂ）には、後傾配置された反射傘３２の光射出開口３２ｄから射出される光の射出範囲の例（実験例）を示す。図中のＨＤは光源１の長手方向（左右方向）での射出範囲（光量分布）を示している。また、図中のＶＤは厚さ方向（前後方向）での射出範囲（光量分布）を示している。厚さ方向については、図中の０（ｄｅｇ）が図２３に示した基準面ＲＦに相当し、射出範囲ＶＤの中心の方向（ＳＳ）は、０（ｄｅｇ）に対して後方（図にはＤＯＷＮと示す）に２０（ｄｅｇ）の傾きを有する。なお、光源１の長手方向については、射出範囲ＨＤの中心の方向は０（ｄｅｇ）である。
【０１００】
図２８（ａ）には、参考例２のように反射傘を厚さ方向に沿った断面において、光射出開口から射出される光の射出範囲ＶＤの中心の方向（ＳＳ）が基準面ＲＦに沿った方向０（ｄｅｇ）となるように配置した場合の該射出範囲の例（実験例）を比較例として示す。この場合、対称面ＳＳは、基準面ＲＦに対して傾きを持たない。なお、光源１の長手方向については、後傾配置の場合と同じく射出範囲ＨＤの中心の方向は０（ｄｅｇ）である。
【０１０１】
ここで、円弧反射部材３３は、反射傘３２における径方向Ｒの内側の先端部近くに、光源１の長手方向中央部に面した光源側反射面３３ｃと、光源側反射面３３ｃから周方向ＣＣの両側に向かって円弧状に延びる２つの円弧反射面３３ｄとを有する。反射傘３２を上述したように後傾配置したことにより、図１４（ｂ）に示した参考例２の構成に比べて、光源１を反射傘３２とともに円弧反射部材３３の光源側反射面３３ｃに近付けることができる。つまり、照明光学系、さらには照明装置１３１を径方向Ｒにて小型化することができる。また、反射傘３２の後傾配置により、光源側反射面３３ｃを径方向Ｒに沿った基準面に対して４５°よりも小さい傾斜角度を有する反射面とすることができる。このため、参考例２のように光源側反射面を４５°の傾斜角度を有する反射面とする場合に比べて、円弧反射部材３３の厚みを薄くすることができる。これにより、後述するように、円弧反射部材３３の裏面側に、体積がある程度大きな他の構成要素を配置することが可能になる。
【０１０２】
ところで、反射傘３２が円弧反射部材３３の光源側反射面３３ｃに近づいたことで、以下のような問題が生ずる。光射出方向Ｌの側とは反対側の反射面３２ｂを参考例２と同様に光源１から長く延出させると、該反射面３２ｂと光源側反射面３３ｃとの干渉を避けるために、円弧反射部材３３を後方に移動させる必要が生ずる。この結果、照明光学系の厚みが増加し、照明装置１３１の厚さ方向での大型化につながる。
【０１０３】
このような厚みの増加を防ぐため、本実施例では、径方向Ｒにおいて、反射面３２ｂの光源１からの長さＬｂを、光照射方向Ｌの側に設けられた反射面３２ａの光源１からの長さＬａよりも短くしている。なお、図２７に示すように、反射面３２ｂのうち円弧反射面３３ｄに向かって延びる部分が該円弧反射面３３ｄと干渉しない場合は、該光源側反射面３３ｃに向かって延びる部分の長さＬｂのみを短くしてもよい。この場合、反射面３２ｂは、厚さ方向から見ると、その径方向Ｒにおける内側の先端部は、凹形状に形成されることになる。
【０１０４】
一方、光照射方向Ｌの側に設けられた反射面３２ａの光源１からの長さまで、反射面３２ｂの光源１からの長さと同じように短くしてしまうと、反射傘３２として、光源１から発散する光の集光機能を十分に果たせなくなる。このため、反射面３２ａについては、図２２に示すように、その径方向Ｒにおける内側の先端部をできるだけ径方向Ｒの内側に延ばす一方、光射出部の外周Ｐに沿うように円弧形状に形成している。ここにいう光射出部は、円弧反射部材３３よりも光照射方向Ｌの側に形成され、被写界に向けて光を射出する円弧状またはリング状の領域であり、ここには後述するプリズムパネル３４および拡散パネル３５が配置される。ただし、本実施例での光射出領域の径方向Ｒでの幅は、参考例２と同様に、プリズムパネル３４および拡散パネル３５の径方向Ｒの幅よりも狭い。そして、円弧反射部材３３の第１の反射面（円弧反射面）３３ｄのうち光源１付近より周方向ＣＣに離れた部分の幅とほぼ同じである。
【０１０５】
円弧反射部材３３は、２つの光源１に対して１つずつ（計２つ）設けられている。円弧反射部材３３は、図２４に詳しく示すように、光源１よりも径方向Ｒの内側において周方向ＣＣに延びるように形成された反射面であって、光源１からの光（反射傘３２で反射した光を含む）を光照射方向に反射する第１の反射面３３ｃ，３３ｄを有する。第１の反射面は、光源１の長手方向中央部に面した部分である光源側反射面（第１の領域）３３ｃを有する。さらに、第１の反射面は、光源側反射面３３ｃから周方向ＣＣの両側に向かって（光源１から周方向ＣＣに離れていくように）円弧状に延びる２つの円弧反射面（第２の領域）３３ｄを有する。光源側および円弧反射面３３ｃ，３３ｄとそれらよりも光射出方向Ｌに配置される後述するプリズムパネル３４との間には、光路領域（空間）が形成される。
【０１０６】
光源側反射面３３ｃは、光源１の長手方向の中央を通る中央断面において、径方向Ｒに沿った基準面に対して４５°より小さい角度の傾きを持った円錐面の一部として構成されている。
【０１０７】
また、円弧反射面３３ｄは、基本的には、周方向において光源１（反射傘３２）から離れるほど光射出方向Ｌに位置する（光射出方向Ｌの側への高さが高くなる）ように、径方向Ｒに沿った基準面に対して傾斜した面として形成されている。本実施例では、参考例２とは異なり、図２５（ａ），（ｂ）および図２６（ａ），（ｂ）にも示すように、円弧反射面３３ｄを、ねじれがないらせん面（径方向Ｒに沿ったらせん面）として形成している。ただし、円弧反射面３３ｄのうち後述する第２の反射面３２ａを挟んで光源側反射面３３ｃに隣接する部分３３ｄ′については、光源側反射面３３ｃと同様に、基準面に対して４５°より小さい角度の傾きを持った円錐面の一部として構成されている。これは、円弧反射面３３ｄのうち円錐面部分３３ｄ′よりも光源１から周方向ＣＣに離れた光路領域に、光源１からの光を効率良く反射するためと、後述するロック機構を円弧反射部材３３の円錐面部分３３ｄ′の裏面側に配置するスペースを形成するためである。ロック機構の配置スペースについては、後に詳しく説明する。
【０１０８】
また、円弧反射面３３ｄのうち円錐面部分３３ｄ′よりも外周側の部分３３ｄ″は、周方向ＣＣに延びる光路領域のうち光源１から離れた部分まで光を行き渡らせるため、基準面に沿った平面として形成され、この部分３３ｄ″に面する空間を広げている。また、この部分３３ｄ″を平面とすることで、前述した反射傘３２の反射面３２ｂとの干渉を避けることもできる。
【０１０９】
また、円弧反射部材３３は、参考例２と同様に、光源側反射面３３ｃを挟むように形成された２つの第２の反射面３３ａを有する。第２の反射面３３ａは、光源１から光源側反射面３３ｃに向かう光の一部を、円弧反射面３３ｄに沿って周方向ＣＣのうち光源１から離れていく方向に延びる光路領域に向けて反射する。
【０１１０】
その他、円弧反射部材３３は、参考例２の円弧反射部材１３と同様に、外周反射面や内周反射面を有する。
【０１１１】
図２１において、３１は背面カバー３７の中央の円筒部（撮影レンズの外周に装着される部分）の前端部に取り付けられる円筒カバーであり、該円筒カバー３１の外周を囲むように２つの円弧反射部材３３が配置される。３９は実装基板であり、参考例２でも説明したように、光源１の発光を開始させるためのトリガコイルや光源１からの発光量をモニタするための受光センサ等の電気部品が実装されている。
【０１１２】
また、４２は背面カバー３７の円筒部付近における周方向ＣＣの４箇所に配置された係止フックである。以下、図２９を併せ用いて、係止フック４２を含むロック機構について説明する。ロック機構は、撮影レンズ２０１の先端部の外周に配置された照明装置１３１を撮影レンズ２０１によって保持された状態とする（ロックする）ための機構である。
【０１１３】
各係止フック４２は、背面カバー３７の円筒部の内側に突出する方向（以下、ロック方向という）とそこから退避する方向（以下、ロック解除方向という）に、回動軸４２ａを中心として回動可能に背面カバー３７に取り付けられている。図２９（ａ）はロック方向に回動した係止フック４２が背面カバー３７の円筒部の内側に突出して撮影レンズ２０１の外周面に形成された不図示の係合溝部に係合したロック状態を示している。ロック状態では、係止フック４２と撮影レンズ２０１の係合溝部との係合により、照明装置１３１が撮影レンズ２０１に対して固定される。また、図２９（ｂ）はロック解除方向に回動した係止フック４２が背面カバー３７の円筒部の内側から退避して撮影レンズ２０１の係合溝部から離脱したロック解除状態を示している。
【０１１４】
４５は係止フック４２をロック方向に付勢する付勢部材としてのロックばねである。本実施例では、２つの係止フック４２に対して１つのロックばね４５が設けられている。各ロックばね４５は、その円筒部が背面カバー３７に取り付けられ、該円筒部から延びる２本のアーム部がそれぞれ別々の係止フック４２に係合して、各係止フック４２をロック方向に押している。
【０１１５】
４１はロック解除リングであり、円筒カバー３１の外周回りにて回転可能に配置されている。ロック解除リング４１には、図示を省略するが、係止フック４２をロック解除方向に回動させるカム面が形成されている。係止フック４２のうち、前述したように背面カバー３７の円筒部の内側に対して突出したり退避したりする先端部とは回動軸４２ａを挟んで反対側に、不図示のカムフォロア部が形成されている。
【０１１６】
４３はロック解除ボタンであり、係止フック４２のロック状態を解除する際に使用者に径方向Ｒに押し込まれるよう操作される。４４は連結部材であり、ロック解除ボタン４３の径方向Ｒへの押し込み操作による移動を、ロック解除リング４１の回転に変換するための部材である。連結部材４４は背面カバー３７に回動可能に取り付けられており、一方の端部がロック解除ボタン４３の内側に挿入され、他方の端部がロック解除リング４１に回動可能に連結されている。
【０１１７】
ロック状態においてロック解除ボタン４３が押し込み操作されることで連結部材４４が背面カバー３７に対して回動すると、その連結部材４４の回動がロック解除リング４１に伝達されて、ロック解除リング４１が背面カバー３７に対して回転する。ロック解除リング４１が回転すると、前述したカム面が係止フック４２に設けられたカムフォロア部を径方向Ｒの内側に押して、ロックばね４５の付勢力に抗して係止フック４２をロック解除方向に回動させる。これにより、照明装置１３１を撮影レンズ２０１から取り外すことができる。
【０１１８】
ここで、図２３、図２５（ａ）および図２６（ａ），（ｂ）を用いてロック機構と先に説明した円弧反射部材３３との関係について説明する。これらの図に示すように、円弧反射部材３３における円弧反射面３３ｄのうち円錐面部分３３ｄ′の裏面側には、径方向Ｒにおける内周側の部分がその内周側の部分よりも外周側の部分に比べて光照射方向Ｌの側に位置する退避部３３ｆが形成されている。言い換えれば、退避部３３ｆを形成するために、径方向Ｒに沿ったらせん面である円弧反射面３３ｄに円錐面部分３３ｄ′を設けている。そして、ロック機構のうちロック解除リング４１、ロックばね４５および係止フック４２が、この退避部に面する領域（空間）に配置されている。
【０１１９】
前述したように円弧反射部材３３自体を薄型化できたことと、円弧反射部材３３の裏面側に退避部３３ｆを形成したことにより、ロック機構のような大型の構成要素を照明装置１３１の厚みを増加させることなく、円弧反射部材３３の裏面側に配置することができる。そして、このようにロック機構を円弧反射部材３３の裏面側に配置することで、照明装置１３１の径方向Ｒでの小型化も実現することができる。
【０１２０】
プリズムパネル３４は、円弧反射部材３３よりも光照射方向Ｌに形成される光射出部に配置される。プリズムパネル３４は、アクリル樹脂等の透過率の高い透明樹脂材料により半円弧形状を有するように製作されており、２つのプリズムパネル３４がリング状に組み合わされて用いられる。図３０（ａ）に示すように、プリズムパネル３４の入射面（光源１側の面）には、参考例１で説明したプリズムパネル４と同様に、微細な複数のプリズム部により構成されるプリズム列３４ａ，３４ｂが形成されている。各プリズム部は、参考例１のプリズムパネル４のプリズム部と同じ機能を有する。すなわち、各プリズム部は、光源１（反射傘３２）から射出した光のうち円弧反射部材３３の円弧反射面３３ｄで反射して到達した光を光照射方向Ｌに透過させ、少なくとも円弧反射面３３ｄで反射せずに到達した光を光照射方向Ｌに内部全反射する。
【０１２１】
ただし、本実施例でのプリズム列３４ａと、該プリズム列３４ａよりも周方向ＣＣにおいて光源１から離れた位置に設けられたプリズム列３４ｂとではそれを構成するプリズム部が延びる方向が異なる。プリズム列３４ａとプリズム列３４ｂとの境界は、光源１の長手方向の中央に対応する位置から周方向ＣＣに約４５°の位置である。プリズム列３４ａを構成する各プリズム部（第１のプリズム部）は、図３０（ａ）中のＡＯ−ＡＯ線に沿った断面図である図３０（ｃ）にも示すように、光源１の長手方向に沿って延びるように形成されている。一方、プリズム列３４ｂを構成する各プリズム部（第２のプリズム部）は、図３０（ａ）中のＡＰ−ＡＰ線に沿った断面図である図３０（ｄ）にも示すように、径方向Ｒに延びるように形成されている。プリズムパネル３４には、これらのようなプリズム列３４ａ，３４ｂが、プリズムパネル３４のうち円弧反射部材３３の光源側反射面３３ｃに対向する領域３４ｃを挟んだ周方向ＣＣの両側に設けられている。そして、光源側反射面３３ｃに対向する領域３４ｃ、すなわちプリズム列３４ａよりも光源１の長手方向の中央に近い領域は、図３０（ａ）中のＡＮ−ＡＮ線に沿った断面図である図３０（ｂ）にも示すように、プリズム部が設けられていない領域である。なお、プリズムパネル３４の射出面は平面である。
【０１２２】
プリズム列３４ａが形成された光源１に近い領域では、光源１からの光線がまだ円弧状の光路領域の奥に回り込む前である。このため、プリズム列３４ａを構成するプリズム部は、該プリズム部が延びる方向における光線の入射角が小さくなるように光源１の長手方向に延びるように形成するのが好ましい。これにより、各プリズム部に向かった光線が反射されてしまうことを回避できる。言い換えれば、光源１からの光線に対してプリズム部の内部全反射による方向変換機能を有効に作用させることができる。
【０１２３】
一方、プリズム列３４ｂが形成された光源１から遠い領域では、光源１からの光線が円弧状の光路領域内に回り込んでいる。このため、プリズム列３４ｂを構成するプリズム部は、プリズム列３４ａと同様の理由により、径方向Ｒに延びるように形成するのが好ましい。
【０１２４】
本実施例では、反射傘３２が後傾配置されているため、光源側反射面３３ｃに対向する領域３４ｃに入射する光線はほとんどが光源側反射面３３ｃにて反射された光線である。このため、プリズム部による方向変換は不要である。したがって、この領域３４ｃには、プリズム部を形成する必要がない。
【０１２５】
拡散パネル３５は、参考例１にて説明した拡散パネル５と同様に、その入射面に、周方向ＣＣに同心状に延びる複数のシリンドリカルレンズ部３５ａが形成された光学部材である。拡散パネル３５は、シリンドリカルレンズ部３５ａの作用により、プリズムパネル３４から射出した光を、マクロ撮影に適した光照射範囲に均一に拡散させる。
【０１２６】
本実施例によれば、参考例１，２と同様に、曲管型の光源を用いなくても、光源１からの光を円弧反射部材３３の第１の反射面３３ｃ，３３ｄで反射することによって周方向に延びる光射出部を形成することができる。しかも、光源１からの光の一部を円弧反射部材３３の第２の反射面３３ａによって周方向ＣＣに導くことで、光射出部から均一に光を射出させることができる。これにより、光源１からの光を効率良く利用してマクロ撮影等に適した均一な照明を行うことができる照明装置を実現することができる。
【０１２７】
しかも、反射傘３２を後傾配置したことにより、照明光学系の径方向Ｒでの小型化や薄型化が可能である。そして、照明光学系を薄型化したことで照明光学系の裏面側に新たに形成されたスペースにロック機構を配置することが可能となり、これらを径方向にてずらして配置する場合に比べて、さらなる照明装置の径方向での小型化が可能となる。
【０１２８】
なお、本実施例でも、参考例１にて説明したように、照明装置の光射出部をリング形状ではなく、矩形としたり多角形としたりしてもよい。
【実施例２】
【０１２９】
図３１（ａ）には、本発明の実施例２である照明装置に用いられる光学部材としてのプリズム拡散パネル７４を示している。このプリズム拡散パネル７４は、実施例１で説明した照明装置において、プリズムパネル３４と拡散パネル３５に代えて用いられる。
【０１３０】
プリズム拡散パネル７４の入射面（光源１側の面）には、図３１（ｂ）の下側の図（図３１（ａ）中のＢ−Ｂ線での断面図）に示すように、実施例１にて説明したプリズム列３４ａ，３４ｂと同様なプリズム列７４ａが形成されている。また、プリズム拡散パネル７４の入射面のうち実施例１で説明した光源側反射面３３ｃに対向する領域７４ｃは、図３１（ｂ）の上側の図（図３１（ａ）中のＡ−Ａ線での断面図）に示すように、プリズム部が設けられていない領域である。
【０１３１】
一方、プリズム拡散パネル７４の射出面には、その全体にわたって、周方向ＣＣに同心状に延びる複数のシリンドリカルレンズ部７４ｂが形成されている。各シリンドリカルレンズ部７４ｂは、光射出方向Ｌに向かって凸形状を有する。シリンドリカルレンズ部７４ｂは、プリズム拡散パネル７４から射出して光照射方向Ｌに向かう光を、マクロ撮影に適した光照射範囲に均一に拡散させる。
【０１３２】
なお、図３１（ｃ）に示すように、プリズム拡散パネル７４の射出面に、光射出方向Ｌに向かって凹形状を有する複数のシリンドリカルレンズ部７４ｄを周方向ＣＣに同心状に延びるように形成してもよい。
【０１３３】
このように、本実施例では、入射面に光線の方向変換のためのプリズム列７４ａを形成し、射出面に光線拡散のためのシリンドリカルレンズ部７４ｂ，７４ｄを形成したプリズム拡散パネル７４を用いる。これにより、実施例１のようにプリズムパネル３４と拡散パネル３５という２つの光学部材を厚さ方向に重ねて用いる場合に比べて、照明装置を薄型化することができる。
【０１３４】
なお、本実施例のプリズム拡散パネル７４に代えて、参考例２にて説明したように、拡散性を有する乳白色の光学材料により形成されたプリズムパネルを用いてもよい。
【実施例３】
【０１３５】
続いて、図３２〜図３６を用いて、実施例１（または実施例２）の照明装置における実装基板３９上の電気部品と円弧反射部材３３との関係を、実施例３として説明する。なお、本実施例において、実施例１と共通する構成要素については実施例１と同符号を付して説明に代える。
【０１３６】
図３２には、実施例１において図２２でも示した照明装置１３１の内部構成であって、実装基板３９上の電気部品の配置を示している。２つの光源１に対して別々に設けられた２つの実装基板３９はそれぞれ、対応する光源１に対して設けられた円弧反射部材３３の裏面側（厚さ方向のうち光射出方向Ｌの側とは反対側）に配置されている。
【０１３７】
５５は光源１の発光（放電）を開始させるためのトリガコイルであり、２つの光源１用に設けられた２つの実装基板３９のそれぞれに実装されている。また、５６は光源１の発光量をモニタ（検出）するための受光センサであり、２つの実装基板３９のそれぞれに実装されている。５７はコネクタであり、該照明装置を参考例２にて説明した不図示の制御部とつなぐための連結ケーブル内の複数の導線が接続される。コネクタ５７は、２つの実装基板３９のうち一方に実装されている。トリガコイル５５には、制御部内のトリガコンデンサからの電荷が連結ケーブルおよびコネクタ５７を介して流れる。また、受光センサ５６の出力は、コネクタ５７および連結ケーブルを介して制御部に送られる。
なお、受光センサ５６の出力は、コネクタ５７を介さずに連結ケーブル内の別ケーブルを介して出力されてもよい。
【０１３８】
実施例１において、反射傘３２を後傾配置することで、円弧反射部材３２の厚みを薄くすることができ、該円弧反射部材３３の裏面側に、体積がある程度大きな他の構成要素を配置することが可能になることを説明した。そして、実施例１では、「他の構成要素」がロック機構である場合について説明した。本実施例では、「他の構成要素」が、実装基板３９に実装された電気部品としてのトリガコイル５５、受光センサ５６およびコネクタ５７である場合について説明する。ただし、実施例１では、ロック機構を配置するために円弧反射部材３３のうち光源１に近い部分の裏面側に退避部３３ｆを設けることについて説明した。これに対して、本実施例では、円弧反射部材３３のうち光源１から遠い部分の裏面側にトリガコイル５５、受光センサ５６およびコネクタ５７を配置することについて説明する。
【０１３９】
円弧反射面３３ｄは、実施例１で説明したように、周方向において光源１から離れるほど光射出方向Ｌに位置する（光射出方向Ｌの側への高さが高くなる）ように径方向Ｒに沿った基準面に対して傾斜した面として形成されている。このため、円弧反射部材３３のうち円弧反射面３３ｄの裏側の面（以下、単に円弧反射部材３３の裏面ともいう）３３ｋも、同様の傾斜面に形成して、周方向ＣＣにおいて光源１から離れるほど実装基板３９からより離すことができる。また、円弧反射面３３ｄは、ねじれがないらせん面であるため、参考例２のようなねじれらせん面として形成されている場合に比べて、実装基板３９と円弧反射部材３３の裏面３３ｋとの間の距離（高さ）を大きくすることができる。しかも、反射傘３２を後傾配置して円弧反射部材３２の厚みを薄くしたために、実装基板３９と円弧反射部材３３の裏面３３ｋとの間の高さを、反射傘３２を後傾配置せず円弧反射部材の厚みが薄くない場合よりもさらに大きくすることができる。
【０１４０】
このため、高さの大きい円弧反射部材３３の裏面３３ｋと実装基板３９との間のスペース（厚さ方向において円弧反射部材３３の裏面に面したスペース）である円弧反射面裏スペースに、実装基板３９上の電気部品の中で高さが大きいものを配置することができる。つまり、電気部品の中で高さが大きいトリガコイル５５、受光センサ５６およびコネクタ５７のうち少なくとも１つを配置できる。これにより、トリガコイル５５、受光センサ５６およびコネクタ５７を円弧反射部材３３に対して径方向Ｒにずらして配置して照明装置が径方向Ｒに大型化することを回避できる。また、照明装置が薄型であっても円弧反射面裏スペースとしてはトリガコイル５５、受光センサ５６およびコネクタ５７を実装する高さを十分に確保することができるので、照明装置の薄型形状を維持することができる。
【０１４１】
すなわち、本実施例によれば、トリガコイル５５、受光センサ５６およびコネクタ５７という大型の電気部品を円弧反射部材３３の裏面側のスペースに効率良く配置することができるので、照明装置の十分な小型化を実現することができる。
【０１４２】
ところで、トリガコイル５５は通電されることでノイズを発生するため、トリガコイル５５と受光センサ５６とが近くに配置されていると、受光センサ５６が該ノイズの影響を受けやすい。このため、本実施例では、各円弧反射部材３３における２つの円弧反射面３３ｄの裏側の面と実装基板３９との間にできる２つの円弧反射面裏スペース、すなわち径方向Ｒにおいて光源１を挟んだ互いに反対側にできる２つの円弧反射面裏スペースを有効利用する。つまり、該２つの円弧反射面裏スペースのうち一方にトリガコイル５５を配置し、他方に受光センサ５６を配置して、できるだけ径方向Ｒにおけるトリガコイル５５と受光センサ５６との間の距離を大きくする。
【０１４３】
図３２では、図中における光源１よりも上側の円弧反射面裏スペースにトリガコイル５５とコネクタ５７が配置され、光源１よりも下側の円弧反射面裏スペースに受光センサ５６が配置されている。
【０１４４】
また、変形例を示す図３３では、図中における光源１よりも上側の円弧反射面裏スペースに受光センサ５６とコネクタ５７が配置され、光源１よりも下側の円弧反射面裏スペースにトリガコイル５５が配置されている。
【０１４５】
図３２および図３３のいずれかに示す構成においても、受光センサ５６とこれが発光量をモニタすべき光源１との間には、円弧反射部材３３（円弧反射面３３ｄ）が存在する。このため本実施例では、図３４（図３３中のＢＶ−ＢＶ線に沿った断面図）にも示すように、円弧反射部材３３うち円弧反射面３３ｄが形成されている部分（円弧反射面３３ｄと裏面３３ｋとの間の部分）に貫通孔３３ｈを形成している。貫通孔３３ｈは、円弧反射面３３ｄと裏面３３ｋとにおいて開口している。そして、該貫通孔３３ｈを通して光源１からの光が受光センサ５６の受光部（フォトダイオード）５６ａに到達するように、受光センサ５６の向きを決定した上で実装基板３９に実装している。図中のＷを付した矢印は、受光部５６ａと貫通孔３３ｈを結ぶラインが反射傘３２の光射出開口を通して光源１を向いていることを示している。この構成によれば、円弧反射面裏スペースに受光センサ５６を配置した場合でも、受光センサ５６による光源１の発光量のモニタを良好に行うことができる。
【０１４６】
図３５には、図３４の構成の変形例を示す。この変形例では、実装基板３９に受光センサ５６を搭載せず、受光部５６ａを該本体部から分離し、連結ケーブル１１２内を通るケーブル５８を介して本体部に接続している。そして、受光部５６ａは、円筒形シールド部材５６ｂ内に光源１からの光を減光するためのフィルター５６ｃと共に圧入されて保持される。円筒形シールド部材５６ｂに、受光部５６ａとフィルター５６ｃを組み込んだ受光センサ８０は、円弧反射部材３３に形成された貫通孔３３ｈ内に圧入され、接着によって保持されている。この構成によれば、図３４に示す構成に比べて、受光部５６ａと光源１との間の距離を短くすることが可能である。しかも、受光センサ８０を円弧反射部材３３の貫通孔３３ｈ内に保持するため、図３４に示す構成のように貫通孔３３ｈと受光センサ８０との位置ずれにより発光量モニタが不安定になるおそれもない。したがって、光源１の発光量のより良好なモニタが可能となる。
【０１４７】
さらに、図３６には、別の変形例を示している。この変形例では、実装基板３９に受光センサ５６（受光部を含む）を実装し、反射傘３２の半円筒部３２ｃに形成した孔に挿入した光ファイバ５９を介して光源１からの光を受光センサ５６に導く。光ファイバ５９は、光源１を反射傘２に対して固定するための弾性保持部材６１と、円弧反射部材３３の外周壁部の外面に形成された保持部３３ｍとによって保持されている。光ファイバ５９を、反射傘３２の側面（光源１の長手方向のうち一方の面）から挿入してもよい。この構成によれば、図３４や図３５に示した構成のように円弧反射部材３３に貫通孔３３ｈを形成しなくてよいため、貫通孔３３ｈによる照明光のわずかな光量むらをも回避することができる。
【０１４８】
図３７には、図３２や図３３に示した構成よりもさらにトリガコイル５５から発生するノイズの影響を低減するための構成を示している。図３７の左図は、中央の図におけるＢＸ−ＢＸ線に沿った断面を示している。３３ｇは円弧反射部材３３に一体形成され、実装基板３９上のトリガコイル５５の周囲を覆う壁部である。壁部３３ｇでトリガコイル５５を覆うことで、トリガコイル５５の延面距離を増やし、トリガコイル５５から発生したノイズが受光センサ５６に影響することを、図３２や図３３に示した構成に比べて、より確実に回避することができる。
【０１４９】
上記実施例１〜３では、参考例２の照明装置をベースとした構成について説明したが、参考例１で説明した照明装置に実施例１〜３で説明した構成を適用してもよい。
【０１５０】
以上説明した各実施例は代表的な例にすぎず、本発明の実施に際しては、各実施例に対して種々の変形や変更が可能である。
【産業上の利用可能性】
【０１５１】
低コストで均一な照明が可能な撮影用照明装置を提供できる。
【符号の説明】
【０１５２】
１  光源
３２  反射傘
３３  円弧反射部材
５５  トリガコイル
５６  受光センサ
５７  コネクタ
１３１  照明装置
２０１  撮影レンズ
【図１】
2014142557.tif 000003
【図２】
2014142557.tif 000004
【図３】
2014142557.tif 000005
【図４】
2014142557.tif 000006
【図５】
2014142557.tif 000007
【図６】
2014142557.tif 000008
【図７】
2014142557.tif 000009
【図８】
2014142557.tif 000010
【図９】
2014142557.tif 000011
【図１０】
2014142557.tif 000012
【図１１】
2014142557.tif 000013
【図１２】
2014142557.tif 000014
【図１３】
2014142557.tif 000015
【図１４】
2014142557.tif 000016
【図１５】
2014142557.tif 000017
【図１６】
2014142557.tif 000018
【図１７】
2014142557.tif 000019
【図１８】
2014142557.tif 000020
【図１９】
2014142557.tif 000021
【図２０】
2014142557.tif 000022
【図２１】
2014142557.tif 000023
【図２２】
2014142557.tif 000024
【図２３】
2014142557.tif 000025
【図２４】
2014142557.tif 000026
【図２５】
2014142557.tif 000027
【図２６】
2014142557.tif 000028
【図２７】
2014142557.tif 000029
【図２８】
2014142557.tif 000030
【図２９】
2014142557.tif 000031
【図３０】
2014142557.tif 000032
【図３１】
2014142557.tif 000033
【図３２】
2014142557.tif 000034
【図３３】
2014142557.tif 000035
【図３４】
2014142557.tif 000036
【図３５】
2014142557.tif 000037
【図３６】
2014142557.tif 000038
【図３７】
2014142557.tif 000039